【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
複数の画素からなり、画面内に複数の表示領域が設定される表示部と、
前記表示部で複数の階調値の画像を表示したときの輝度の測定値を前記複数の階調値のそれぞれと関連付けて記憶する記憶部と、
入力される画像データの画素の階調値を、前記記憶部に記憶されている当該画素の属する表示領域における輝度の測定値と当該画素の階調値とに応じて設定される目標輝度に基づき補正する補正部と、
前記補正部により補正された画像データを前記表示部へ出力する出力部と、
を備える画像表示装置。
【請求項２】
前記補正部は、前記補正の対象の画素において前記補正された階調値の画像を表示したときの輝度が前記目標輝度になるように前記補正を行う請求項１に記載の画像表示装置。
【請求項３】
前記記憶部は、前記表示部の複数の画素及び複数の階調値の各々について、各画素の輝度が、前記記憶部に記憶されている各画素の属する表示領域における輝度の測定値と各画素の階調値とに応じて設定される目標輝度となるように、補正された各画素の階調値を更に記憶し、
前記補正部は、前記記憶部から、入力される画像データの各画素の階調値に対応する補正された階調値を読み込むことにより、入力される画像データの各画素の階調値の補正を行う請求項１又は２に記載の画像表示装置。
【請求項４】
前記記憶部は、前記表示部で全階調値の画像を表示したときの各画素における輝度の測定値を各階調値と関連付けて記憶し、
前記補正部は、入力される画像データの画素の階調値を、前記記憶部に記憶されている当該画素の属する表示領域内の画素における輝度の測定値と当該画素の階調値とに応じて設定される目標輝度に基づき補正する請求項１〜３のいずれか１項に記載の画像表示装置。
【請求項５】
前記補正部は、入力される画像データの画素の階調値を、当該画素の階調値、前記記憶部に記憶されている当該画素の階調値に関連付けられた輝度の測定値、並びに、当該画素の属する表示領域及び当該画素の階調値に応じた目標輝度に基づき補正する請求項４に記
載の画像表示装置。
【請求項６】
前記目標輝度は、前記補正の対象の画素の属する表示領域における、当該画素の階調値に関連付けられた輝度の測定値のうちの最小値である請求項４又は５に記載の画像表示装置。
【請求項７】
前記記憶部は、前記表示部で複数の階調値の画像を表示したときの色度の測定値を前記複数の階調値のそれぞれと関連付けて記憶し、
前記補正部は、入力される画像データの画素の階調値を、前記記憶部に記憶されている前記表示部の中央の画素の色度の測定値に応じて設定される目標色度に更に基づき補正する請求項１〜６のいずれか１項に記載の画像表示装置。
【請求項８】
前記記憶部は、前記表示部で複数の階調値の画像を表示したときの色度の測定値を前記複数の階調値のそれぞれと関連付けて記憶し、
前記補正部は、入力される画像データの画素の階調値を、前記記憶部に記憶されている当該画素の属する表示領域内の所定の画素の色度の測定値に応じて設定される目標色度に更に基づき補正する請求項１〜６のいずれか１項に記載の画像表示装置。
【請求項９】
前記記憶部は、前記表示部で全階調値の画像を表示したときの各画素における色度の測定値を各階調値と関連付けて記憶し、
前記補正部は、入力される画像データの画素の階調値を、前記記憶部に記憶されている当該画素の階調値に関連付けられた色度の測定値と、前記目標色度と、に更に基づき補正する請求項７又は８に記載の画像表示装置。
【請求項１０】
前記表示部は、全画素が同一の階調値の画像データを入力した場合に画面の端部に近いほど輝度が低下する傾向を有し、
前記複数の表示領域は、前記表示部の画面の少なくともいずれかの端部を含む表示領域と、前記表示部の画面の端部を含まない表示領域と、を含む請求項１〜９のいずれか１項に記載の画像表示装置。
【請求項１１】
ユーザによる表示領域の設定の入力を受け付ける設定部を更に備える請求項１〜１０のいずれか１項に記載の画像表示装置。
【請求項１２】
複数の画素からなり、画面内に複数の表示領域が設定される表示部を備えた画像表示装置の制御方法であって、
前記表示部で複数の階調値の画像を表示したときの輝度の測定値を前記複数の階調値のそれぞれと関連付けて取得する取得工程と、
入力される画像データの画素の階調値を、前記取得工程で取得される当該画素の属する表示領域における輝度の測定値と当該画素の階調値とに応じて設定される目標輝度に基づき補正する補正工程と、
前記補正工程により補正された画像データを前記表示部へ出力する出力工程と、
を有する画像表示装置の制御方法。
【請求項１３】
前記補正工程では、前記補正の対象の画素において前記補正された階調値の画像を表示したときの輝度が前記目標輝度になるように前記補正を行う請求項１２に記載の画像表示装置の制御方法。
【請求項１４】
前記取得工程では、前記表示部の複数の画素及び複数の階調値の各々について、各画素の輝度が、前記取得工程で取得される各画素の属する表示領域における輝度の測定値と各画素の階調値とに応じて設定される目標輝度となるように、補正された各画素の階調値を
更に取得し、
前記補正工程では、前記取得工程により、入力される画像データの各画素の階調値に対応する補正された階調値を取得することにより、入力される画像データの各画素の階調値の補正を行う請求項１２又は１３に記載の画像表示装置の制御方法。
【請求項１５】
前記取得工程では、前記表示部で全階調値の画像を表示したときの各画素における輝度の測定値を各階調値と関連付けて取得し、
前記補正工程では、入力される画像データの画素の階調値を、前記取得工程で取得される当該画素の属する表示領域内の画素における輝度の測定値と当該画素の階調値とに応じて設定される目標輝度に基づき補正する請求項１２〜１４のいずれか１項に記載の画像表示装置の制御方法。
【請求項１６】
前記補正工程では、入力される画像データの画素の階調値を、当該画素の階調値、前記取得工程で取得される当該画素の階調値に関連付けられた輝度の測定値、並びに、当該画素の属する表示領域及び当該画素の階調値に応じた目標輝度に基づき補正する請求項１５に記載の画像表示装置の制御方法。
【請求項１７】
前記目標輝度は、前記補正の対象の画素の属する表示領域における、当該画素の階調値に関連付けられた輝度の測定値のうちの最小値である請求項１５又は１６に記載の画像表示装置の制御方法。
【請求項１８】
前記取得工程では、前記表示部で複数の階調値の画像を表示したときの色度の測定値を前記複数の階調値のそれぞれと関連付けて取得し、
前記補正工程では、入力される画像データの画素の階調値を、前記取得工程で取得される前記表示部の中央の画素の色度の測定値に応じて設定される目標色度に更に基づき補正する請求項１２〜１７のいずれか１項に記載の画像表示装置の制御方法。
【請求項１９】
前記取得工程では、前記表示部で複数の階調値の画像を表示したときの色度の測定値を前記複数の階調値のそれぞれと関連付けて取得し、
前記補正工程では、入力される画像データの画素の階調値を、前記取得工程で取得される当該画素の属する表示領域内の所定の画素の色度の測定値に応じて設定される目標色度に更に基づき補正する請求項１２〜１７のいずれか１項に記載の画像表示装置の制御方法。
【請求項２０】
前記取得工程では、前記表示部で全階調値の画像を表示したときの各画素における色度の測定値を各階調値と関連付けて取得し、
前記補正工程では、入力される画像データの画素の階調値を、前記取得工程で取得される当該画素の階調値に関連付けられた色度の測定値と、前記目標色度と、に更に基づき補正する請求項１８又は１９に記載の画像表示装置の制御方法。
【請求項２１】
前記表示部は、全画素が同一の階調値の画像データを入力した場合に画面の端部に近いほど輝度が低下する傾向を有し、
前記複数の表示領域は、前記表示部の画面の少なくともいずれかの端部を含む表示領域と、前記表示部の画面の端部を含まない表示領域と、を含む請求項１２〜２０のいずれか１項に記載の画像表示装置の制御方法。
【請求項２２】
ユーザによる表示領域の設定の入力を受け付ける設定工程を更に有する請求項１２〜２１のいずれか１項に記載の画像表示装置の制御方法。
【手続補正２】
【補正対象書類名】明細書
【補正対象項目名】０００９
【補正方法】変更
【補正の内容】
【０００９】
本発明は、複数の画素からなり、画面内に複数の表示領域が設定される表示部と、
前記表示部で複数の階調値の画像を表示したときの輝度の測定値を前記複数の階調値のそれぞれと関連付けて記憶する記憶部と、
入力される画像データの画素の階調値を、前記記憶部に記憶されている当該画素の属する表示領域における輝度の測定値と当該画素の階調値とに応じて設定される目標輝度に基づき補正する補正部と、
前記補正部により補正された画像データを前記表示部へ出力する出力部と、
を備える画像表示装置である。
【手続補正３】
【補正対象書類名】明細書
【補正対象項目名】００１０
【補正方法】変更
【補正の内容】
【００１０】
本発明は、複数の画素からなり、画面内に複数の表示領域が設定される表示部を備えた画像表示装置の制御方法であって、
前記表示部で複数の階調値の画像を表示したときの輝度の測定値を前記複数の階調値のそれぞれと関連付けて取得する取得工程と、
入力される画像データの画素の階調値を、前記取得工程で取得される当該画素の属する表示領域における輝度の測定値と当該画素の階調値とに応じて設定される目標輝度に基づき補正する補正工程と、
前記補正工程により補正された画像データを前記表示部へ出力する出力工程と、
を有する画像表示装置の制御方法である。
【手続補正４】
【補正対象書類名】明細書
【補正対象項目名】００４４
【補正方法】変更
【補正の内容】
【００４４】
入力階調値（２５５，２５５，２５５）に対応する目標色度は、表示領域によらず図８に示す階調値（２５５，２５５，２５５）を入力したときの色度の測定値１１０のうち中央画素（座標（４，３））の色度の測定値（０．３１３０，０．３２９０）が設定される。
【手続補正５】
【補正対象書類名】明細書
【補正対象項目名】００４６
【補正方法】変更
【補正の内容】
【００４６】
ステップＳ１０２において、目標値設定部１０１は、補正値算出対象の画素の目標輝度を表示領域１０９用の目標輝度４６０ｃｄ／ｍ２に設定し、目標色度を（０．３１３０，０．３２９０）に設定し、補正値算出部１０２へ出力する。
【手続補正６】
【補正対象書類名】明細書
【補正対象項目名】００４７
【補正方法】変更
【補正の内容】
【００４７】
ステップＳ１０３において、目標値設定部１０１は、補正値算出対象の画素の目標輝度を表示領域１０８用の目標輝度３５０ｃｄ／ｍ２に設定し、目標色度を（０．３１３０，０．３２９０）に設定し、補正値算出部１０２へ出力する。